(57)【要約】      （修正有）【課題】利便性を向上させることができる連結部材を有する三脚を提供する。【解決手段】本考案の三脚１００は、連結部材を有する三脚であって、座体１と、複数の脚２と、複数の連結部材３を含み、各脚の一端が座体に枢設され、脚が座体に対し収縮状態および展開状態の間で枢動され、収縮状態において脚の他端が互いに接近して収縮され、且つ前記展開状態において前記脚の他端が互いに離れて展開する。各連結部材が相隣の脚の間に枢接し、且つ二つの連結パーツ３１があり、二つの連結パーツにより展開可能または折り畳み可能に連接され、二つの連結パーツが前記展開状態において前記脚の牽引で直線構造になるように引き伸ばされて互いに開くことで安定的に相隣の脚を支持し、これによって、安定的な支持効果を達成させることができる。【選択図】図１
0003207461.tif 000002
【実用新案登録請求の範囲】
【請求項１】
連結部材を有する三脚であって、
座体と、
一端が前記座体に枢設され、前記座体に対し収縮状態および展開状態の間で枢動され、前記収縮状態において他端が互いに接近して収縮され、且つ前記展開状態において前記他端が互いに離れて展開する複数の脚と、
相隣の脚の間に枢接し、二つの連結パーツがあり、前記二つの連結パーツにより展開可能または折り畳み可能に連結され、前記二つの連結パーツが前記展開状態において前記脚の牽引で直線構造になるように引き伸ばされて互いに開くことで安定的に相隣の脚を支持し、且つ前記収縮状態において前記脚の牽引で相隣の脚の間で互いに折り畳みする複数の前記連結部材と、を備えることを特徴とする三脚。
【請求項２】
前記座体にスライド可能に中管をさらに配置することを特徴とする請求項１に記載の三脚。
【請求項３】
一端が前記中管に枢接され、他端が前記脚に枢接される複数の支持部材をさらに含み、
前記中管及び前記座体の相対滑り移動と共に、前記支持部材が前記展開状態において前記中管及び前記脚の間で横向きに支持し、または前記収縮状態において前記枢接された脚の一端で畳まれることを特徴とする請求項２に記載の三脚。
【請求項４】
前記中管及び前記支持部材が枢動連結パーツにより連結することを特徴とする請求項３に記載の三脚。
【請求項５】
前記連結部材が固定パーツにより脚と連結することを特徴とする請求項１に記載の三脚。
【請求項６】
前記連結部材及び前記支持部材が固定パーツにより脚と連結することを特徴とする請求項４に記載の三脚。
【請求項７】
前記座体に連結する中管と、前記中管に上下スライド可能に摺接する滑り部材と、前記滑り部材及び脚の間に枢接する複数の引掛部材と、をさらに含むことを特徴とする請求項１に記載の三脚。
【請求項８】
前記脚が、支持管と、滑り管とを含み、前記支持管が二つの縦向きパーツと、前記二つの縦向きパーツ端部と連結する横向き連結パーツと、を有し、前記横向き連結パーツが前記座体に連結され、前記滑り管が摺接パーツにより前記二つの縦向きパーツの間に滑り連結されていることを特徴とする請求項１に記載の三脚。
【請求項９】
前記脚が伸縮管であることを特徴とする請求項１に記載の三脚。
【請求項１０】
前記中管が伸縮管であることを特徴とする請求項２に記載の三脚。
【考案の詳細な説明】
【技術分野】
【０００１】
本考案は三脚に関するものであって、特にビデオ撮影または望遠鏡など設備に使用する三脚に関するものである。
【背景技術】
【０００２】
カメラの普及応用に伴い、撮影愛好家やプロカメラマンは、益々増加している。室外の撮影愛好家や工作者にとって、特に室外景色例えば植物、動物、夜景などを撮影目的とした人にとって、時には高角度で景色を撮影する時、三脚を一定の程度の高さに延伸する必要がある。しかしながら、三脚を延伸する際または大型の撮影機材を支持する際に、重心不安定の状況が発生し易く、さらには撮影機材を損壊する危険性がある。
【０００３】
三脚の転倒や基盤の不安定による揺れを避けるために、従来の三脚は輔助用の固定装置が必要となる。前記固定装置が三脚の底端に装設されることにより三脚の開く程度が固定され、これにより三脚を安定して地面に支持させる。しかし三脚の固定装置がかなり重いため、持ち運びにも問題がある。且つ使用や収納する時に取り付けまたは取り外しを繰り返す必要がある。したがって、従来の三脚の改良が必要である。
【考案の概要】
【考案が解決しようとする課題】
【０００４】
そこで、本考案は、上記従来の問題点を鑑みてなされ、連結部材を有する三脚を提供することを目的とする。これにより使いやすさを向上させることができる。
【課題を解決するための手段】
【０００５】
上記目的を達成するために、本考案が提供する三脚は、
連結部材を有する三脚であって、
座体と、
一端が前記座体に枢設され、前記座体に対し収縮状態および展開状態の間で枢動され、前記収縮状態において他端が互いに接近して収縮され、且つ前記展開状態において前記他端が互いに離れて展開する複数の脚と、
相隣の脚の間に枢接し、二つの連結パーツがあり、前記二つの連結パーツにより展開可能または折り畳み可能に連接され、前記二つの連結パーツが前記展開状態において前記脚の牽引で直線構造になるように引き伸ばされて互いに開くことで安定的に相隣の脚を支持し、且つ前記収縮状態において前記脚の牽引で相隣の脚の間で互いに折り畳みする複数の前記連結部材と、を備えることを特徴とする三脚である。
【０００６】
本考案の一態様として、前記三脚がさらに前記座体にスライド可能に配置される中管を備えてもよい。
【０００７】
本考案の一態様として、一端が前記中管に枢接され、他端が前記脚に枢接される複数の支持部材をさらに含み、前記中管及び前記座体の相対滑り移動と共に、前記支持部材が前記展開状態において前記中管及び前記脚の間で横向きに支持し、または前記収縮状態において前記枢接された脚の一端で畳まれてもよい。
【０００８】
本考案の一態様として、前記中管及び前記支持部材が枢動連結パーツにより連結してもよい。
【０００９】
本考案の一態様として、前記連結部材が固定パーツにより脚と連結してもよい。
【００１０】
本考案の一態様として、前記連結部材及び前記支持部材が固定パーツにより脚と連結してもよい。
【００１１】
本考案の一態様として、前記座体に連結する中管と、前記中管に上下スライド可能に摺接する滑り部材と、前記滑り部材及び脚の間に枢接する複数の引掛部材と、をさらに含んでもよい。
【００１２】
本考案の一態様として、前記脚が、支持管と、滑り管とを含み、前記支持管が二つの縦向きパーツと、前記二つの縦向きパーツ端部と連結する横向き連結パーツと、を有し、前記横向き連結パーツが前記座体に連結され、前記滑り管が摺接パーツにより前記二つの縦向きパーツの間に滑り連結されてもよい。
【００１３】
本考案の一態様として、前記脚が伸縮管であってもよい。
【００１４】
本考案の一態様として、前記中管が伸縮管であってもよい。
【考案の効果】
【００１５】
以上のように、本考案の三脚によれば、相隣の脚の間に前記連結部材を枢接することで前記相隣の脚の相対位置を固定する。これにより、外力で三脚が振盪される際に、脚が簡単に外力の牽引で動かすことなく、三脚の安定性を上昇させることができる。また前記三脚を収縮する際に、前記連結部材が前記脚の牽引で前記相隣の脚の間で互いに折り畳まれ、収縮する際に外す必要なく、展開する際に再び取付ける必要がない。従来の頻繁に固定装置を取り付けるたり外したりする三脚と比べると、本考案の三脚であれば利便性を向上させることができる。
【００１６】
以下の実施形態及び添付図面により、本考案で採用された具体実施形態を具体的に説明する。当技術分野に精通した者は本実施形態を精読することで本考案を実現することができる。
【図面の簡単な説明】
【００１７】
【図１】本考案の第一実施形態に係る三脚の展開状態を示す立体図である。
【図２】本考案の第一実施形態に係る三脚の収縮状態を示す立体図である。
【図３】本考案の第二実施形態に係る三脚の展開状態を示す立体図である。
【図４】本考案の第二実施形態に係る三脚の収縮状態を示す立体図である。
【図５】本考案の第三実施形態に係る三脚の展開状態を示す立体図である。
【図６】本考案の第三実施形態に係る三脚の収縮状態を示す立体図である。
【図７】本考案の第四実施形態に係る三脚の展開状態を示す立体図である。
【図８】本考案の第五実施形態に係る三脚の展開状態を示す立体図である。
【図９】本考案の第六実施形態に係る三脚の展開状態を示す立体図である。
【考案を実施するための形態】
【００１８】
以下図１から図９に基づいて、本考案の実施形態について説明する。該当説明は本考案の実施形態の一つの例示にすぎず、本考案の実施形態を限定するものではない。
【００１９】
図１が示すように、本考案の第一実施形態に係る三脚１００は、座体１、複数の脚２及び複数の連結部材３を含む。
【００２０】
図１及び図２が示すように、前記各の脚２の一端が前記座体１に枢設される。前記脚２が、前記座体１に対し収縮状態（図２に示すように）および展開状態（図１に示すように）の間で枢動される。前記収縮状態において前記脚２の他端が互いに接近して収縮され、且つ前記展開状態において前記脚２の他端が互いに離れて展開する。前記脚２が伸縮管であることが好ましい。
【００２１】
図１及び図２が示すように、前記各の連結部材３が前記相隣の脚２の間に枢接されている。本実施形態においては、前記各の連結部材３の両端にそれぞれネジＳにより前記脚２に連結される。本考案は、当然これに限定はされず、図３及び図４が示すように、本考案の第二実施形態に係る三脚１００ａの前記各の連結部材３が固定パーツＳ１により脚２と連結してもよい。
【００２２】
図１及び図２が示すように、前記各の連結部材３が二つの連結パーツにより展開可能または折り畳み可能に連結されている。前記二つの連結パーツ３１が前記展開状態において前記脚２の牽引で直線構造になるように引き伸ばされて互いに開くことで安定的に相隣の脚２を支持する。本考案は、当然これに限定はされず、前記二つの連結パーツ３１が手動輔助で直線構造になるように引き伸ばされて互いに開いてもよい。
【００２３】
図２が示すように、前記二つの連結パーツ３１が前記収縮状態において前記脚２の牽引で相隣の脚２の間で互いに折り畳みする。本考案は、当然これに限定はされず、前記二つの連結パーツ３１が手動輔助で相隣の脚２の間で互いに折り畳みしてもよい。
【００２４】
前記三脚１００が雲台４をさらに含むことが好ましい。前記雲台４を前記座体１の上方に設置されることにより撮影機材Ｃを載置する。
【００２５】
本考案の前記三脚の構造を後述の実施形態に説明するが、前記実施形態と同じ部分は省略している。
【００２６】
図３及び図４が示すように、本考案の第二実施形態に係る三脚１００ａと前記第一実施形態に係る三脚１００の差は：前記三脚１００ａが中管５をさらに含む。前記中管５がスライド可能に前記座体１に配置される。前記中管５が伸縮管であることが好ましい。
【００２７】
図５及び図６が示すように、本考案の第三実施形態に係る三脚１００ｂと前記第二実施形態に係る三脚１００ａの差は：前記三脚１００ｂが複数の支持部材６をさらに含む。前記各の支持部材６の一端が前記中管５に枢接され、他端が前記脚２に枢接されることにより前記中管５と前記座体１の相対滑り移動と共に移動する。前記脚２が、前記座体１に対し展開状態（図５に示すように）において前記支持部材６が前記中管５及び前記脚２の間で横向きに支持する。前記収縮状態（図６に示すように）において前記支持部材６が前記枢接された脚２の一端で畳まれる。
【００２８】
前記中管５及び前記支持部材６が枢動連結パーツ７により互いに連結することが好ましい。
【００２９】
図７が示すように、本考案の第四実施形態に係る三脚１００ｃと前記第一実施形態に係る三脚１００の差は：前記連結部材３及び前記支持部材６が固定パーツＳ１により脚２と連結されている。
【００３０】
図８に示すように、本考案の第五実施形態に係る三脚１００ｄと前記第四実施形態に係る三脚１００ｃの差は：前記脚２が、支持管２２と、滑り管２１を含む。前記支持管２２が二つの縦向きパーツ２２１と、前記二つの縦向きパーツ２２１の端部に連結する横向き連結パーツ２２２を有する。前記横向き連結パーツ２２２が前記座体１に連結されている。前記滑り管２１が摺接パーツ２３により前記二つの縦向きパーツ２２１の間に滑り連結されている。
【００３１】
図９に示すように、本考案の第六実施形態に係る三脚１００ｅと前記第三実施形態に係る三脚１００ｂの差は：前記三脚１００ｅが中管５と、滑り部材８と、複数の引掛部材９をさらに含む。前記中管５が前記座体１に連結されている。前記滑り部材８が前記中管５に摺接することで上下スライド可能になる。前記各の引掛部材９が前記滑り部材８と前記脚２の間に枢接されている。
【００３２】
当該分野の技術を熟知するものが理解できるように、本考案の好適な実施形態を前述の通り開示したが、これらは決して本考案を限定するものではない。本考案の主旨と領域を逸脱しない範囲内で各種の調節や修正を加えることができる。従って、本考案の実用新案登録請求の範囲は、このような調節や修正を含めて広く解釈されるべきである。
【符号の説明】
【００３３】
１００、１００ａ、１００ｂ、１００ｃ、１００ｄ、１００ｅ  三脚
１  座体
２  脚
２１  滑り管
２２  支持管
２２１  縦向きパーツ
２２２  横向き連結パーツ
２３  摺接パーツ
３  連結部材
３１  連結パーツ
４  雲台
５  中管
６  支持部材
７  枢動連結パーツ
８  滑り部材
９  引掛部材
Ｃ  撮影機材
Ｓ  ネジ
Ｓ1  固定パーツ
【図１】
0003207461.tif 000003
【図２】
0003207461.tif 000004
【図３】
0003207461.tif 000005
【図４】
0003207461.tif 000006
【図５】
0003207461.tif 000007
【図６】
0003207461.tif 000008
【図７】
0003207461.tif 000009
【図８】
0003207461.tif 000010
【図９】
0003207461.tif 000011